(57)【要約】【課題】電子機器用シェルフに収納された電子機器の冷却用ファンユニット等の交換を容易に、かつ、短時間で行うことが可能な電子機器収納システムを提供すること。さらに、冷却用ファンユニット等の交換作業中に、電子機器の電気的接続を確実に遮断することが可能な電子機器収納システムを提供すること。【解決手段】ビス孔２０６のビス３０１を取り外し、イジェクタ２０３のレバー部２２１に指を掛けて手前に引く。そうすると、イジェクタ２０３が梃子となって筐体２０１を手前に引き出す。このとき、電子機器２００の後面側に設けられたコネクタは、裏面板１２０のコネクタ１２１と分離されるので、電子機器２００の電気的接続は遮断される。次に、扉２０２を止めているビス３０１を取り外す又は緩め、扉２０２を開いて筐体２０１内部の冷却用ファンユニット等を交換する。【選択図】  図１
2004363133.tif 000002
【特許請求の範囲】
【請求項１】
電子機器の筐体の後面部に第１のコネクタを設け、該電子機器をシェルフ前面の開口部から挿入して収納したときに、前記第１のコネクタが該シェルフの奥に設けられた第２のコネクタに接続されるようになされた電子機器収納システムであって、
前記筐体は、その前面側において、前記筐体下方に設けられた軸体に枢着された扉と、該軸体に枢着されると共に該扉の前面側に設けられ、手前に回動したときに前記シェルフの突出部を支点として前記電子機器を手前に引き出すイジェクタとを備え、
前記シェルフは、前記イジェクタを手前に回動して前記電子機器を手前に引き出したときに、前記第１のコネクタと前記第２のコネクタとが分離するようになされたことを特徴とする電子機器収納システム。
【請求項２】
前記扉は、前記イジェクタをその後面側から指を掛けつつ手前に回動するための凹部が形成されていることを特徴とする請求項１に記載の電子機器収納システム。
【請求項３】
さらに、前記電子機器は、前記扉の後面側に冷却用ファンユニットを備え、
該冷却用ファンユニットは、その装着用孔に対して前記筐体から前方に突出した支持片を挿入することにより装着自在になされていることを特徴とする請求項１に記載の電子機器収納システム。
【請求項４】
前記冷却用ファンユニットは、その左右側面部が前記筐体の外部に露出するようになされていることを特徴とする請求項４に記載の電子機器収納システム。
【発明の詳細な説明】
【０００１】
【発明の属する分野】
本発明は、電子機器収納システムに係り、特に複数の電子機器を収納可能なものに関する。
【０００２】
【従来の技術】
電子機器収納システムにおいては、電子機器の加重等によって変形しない堅牢な構造を有しながら、ねじなどの連結手段を多用せずに簡単に組み立てられるものに関して様々なものが提案されている（例えば、特許文献１参照）。
【０００３】
このような収納システムにおいて、故障した電子機器の冷却用ファンユニットを交換するためには、いったんシェルフ等の収納構造物から電子機器を取り出し、電子機器の筐体を分解する必要がある。しかし、近年、収納構造物の小型化が図られているので、収納された電子機器の上方や左右側方に余分な空きスペースがないことが多く、作業者が電子機器を取り出すことが困難になっている。この課題を解決するために、電子機器にイジェクタを設け、このイジェクタを操作することによって電子機器の取り出しを容易にしたものがある（例えば、特許文献２参照）。
【０００４】
しかしながら、特許文献２のようなイジェクタを設けても、作業者がイジェクタを手で操作するためのスペースが電子機器の上方や左右側方に必要となることには変わりなく、上記の課題に対する根本的な解決手段とはならない。さらに、このような交換作業に要する時間は、筐体の分解と組立に関するものがほとんどであり、冷却用ファンユニットの交換自体には時間を要さない。筐体の分解と組立を極めて短時間で行うことためには相当な熟練を要するので、現状の電子機器収納システムでは電子機器の停止時間の短縮化を図ることは容易でない。
【０００５】
また、一部の収納構造物においては、電子機器を収納したままでも冷却用ファンユニットを交換できるような開放構造を持っているものもある。しかし、この構造を採用した場合、電子機器に対する電気的接続を遮断することを忘れたまま交換しようとすると、新たな冷却用ファンユニットを装着した瞬間にファンが始動するので、作業者がファンでけがをするおそれがある。また、回路基板等に触れることによって感電することも考えられる。
【０００６】
【特許文献１】
特開２００１−２８４８７号公報（第４−６頁、図１−９）
【特許文献２】
米国特許５，８２８，５４６号公報（第１６−１７頁、Ｆｉｇ．１ａ）
【０００７】
【発明が解決しようとする課題】
本発明は、上記の課題を解決するために、電子機器用シェルフに収納された電子機器の冷却用ファンユニット等の交換を容易に、かつ、短時間で行うことが可能な電子機器収納システムを提供することを目的とするものである。さらに、冷却用ファンユニット等の交換作業中に、電子機器の電気的接続を確実に遮断することが可能な電子機器収納システムを提供することを第２の目的とするものである。
【０００８】
【課題を解決するための手段】
上記の課題を解決するための手段として、本発明は、電子機器の筐体の後面部に第１のコネクタを設け、該電子機器をシェルフ前面の開口部から挿入して収納したときに、前記第１のコネクタが該シェルフの奥に設けられた第２のコネクタに接続されるようになされた電子機器収納システムであって、前記筐体は、その前面側において、前記筐体下方に設けられた軸体に枢着された扉と、該軸体に枢着されると共に該扉の前方に設けられ、手前に回動したときに前記シェルフの突出部を支点として前記電子機器を手前に引き出すイジェクタとを備え、前記シェルフは、前記イジェクタを手前に回動して前記電子機器を手前に引き出したときに、前記第１のコネクタと前記第２のコネクタとが分離するようになされたことを特徴とするものとした。
【０００９】
以上の手段によれば、扉の手前でイジェクタを操作でき、筐体の上方や左右側方に手を入れて操作する必要がない。また、イジェクタを操作したときには、第１のコネクタと第２のコネクタとが分離されるので、電子機器は手前に引き出された状態において電気的接続が確実に遮断された状態となる。
【００１０】
また、上記の手段において、前記扉は、前記イジェクタをその後面側から指を掛けつつ手前に回動するための凹部が形成したものにできる。
【００１１】
さらに、上記の手段において、前記電子機器は、前記扉の後面側に冷却用ファンユニットを備え、該冷却用ファンユニットは、その装着用孔に対して前記筐体から前方に突出した支持片を挿入することにより装着自在になすことができる。
【００１２】
また、上記の手段において、前記冷却用ファンユニットは、その左右側面部が前記筐体の外部に露出するようになすことができる。
【００１３】
【発明の実施の形態】
以下に、本発明の実施の形態に係る電子機器収納システムの一例を図面に基づいて詳細に説明する。図１は、本発明の実施の形態に係る電子機器収納システムを示す斜視図である。図１の符号において、１１０はシャーシ、１１１は底板、１１２は電子機器係止用切込部、１１３はイジェクタ係止片、１１４はガイドレール、１２０は裏面板、１２１はコネクタ、１３０はＥＭＩ用カバー、１４０は仕切板、２００は電子機器、２０１は筐体、２０２は扉、２０３はイジェクタ、２０４は開口部、２０５は凹部、２０６はビス孔、２１０はパイロットランプ、２２１はレバー部である。
【００１４】
図１に示すように、本発明の実施の形態に係る電子機器収納システムは、シャーシ１１０、裏面板１２０、ＥＭＩカバー１３０及び仕切板１４０から構成されたシェルフと電子機器２００から構成されている。シェルフは、仕切部材１４０によって仕切られた４つの空間に４台の電子機器を収納可能であり、縦方向に２個以上積層する、あるいは横方向に２個以上連接することによって多数の電子機器を収納可能な構成にできる。また、シャーシ１１０及び裏面板１２０は、電子機器２００をしっかりと収納するとともに簡単に引き出し可能にするための後述するような構造を有する。なお、電子機器２００は、主として整流器などの電源装置としての用途を持つものを想定しているが、ネットワークに接続されるサーバー装置などであっても良く、特定の用途に限定されるものではない。なお、シャーシ１１０の幅と仕切部材１４０の個数を適宜変更することによって、電子機器２００の収納個数を適宜増減できる。
【００１５】
次に、電子機器２００について詳しく説明する。図２及び図３は電子機器の構造を示す斜視図（１）及び（２）である。図２及び図３において、２０７はスリット、２０８はビス孔、２０９は軸受、２１１は冷却用ファンユニット、２１２はファン、２１３は支持片、２１４ａ〜ｄは貫通孔、２１５及び２１６は係止部であり、その他の符号は図１と同じものを示す。
【００１６】
図２（ａ）に示すように、電子機器２００は、筐体２０１の前面側に扉２０２が設けられており、これを開放することによって筐体２０１内部の部品を交換することができる。さらに、扉２０２の前面側にはイジェクタ２０３が設けられており、後述するように、電子機器２００をシェルフから引き出すために使用される。また、扉２０２において、イジェクタ２０３のレバー部２２１に指を掛けやすくするために、開口部２０４に対応する部分には、凹部２０５が形成されている。くわえて、電子機器２００をシェルフに収納している状態において、電子機器２００が誤って引き出されることを防ぐために、ビス孔２０６にビス３０１を止め付けてイジェクタ２０３を固定している。
【００１７】
また、図２（ｂ）に示すように、扉２０２の上部には、パイロットランプ２１０が設けられており、電子機器２００の運転状態を知ることができる。さらに、イジェクタ２０３は、矢印Ａに示すように、軸受２０９のところに設けられた回転軸を中心に手前側に回動自在に設けられている。扉２０２は、ビス孔２０８に止め付けられたビス３０１によって固定されており、不用意に開放されることを防止している。また、ビス３０１を取り外すまたは緩めることにより、上記の回転軸を中心に手前側に回動させることができる。
【００１８】
さらに、図３に示すように、扉２０２を手前に開くと、冷却用ファンユニット２１１が現れる。冷却用ファンユニット２１１は、筐体２０１の四隅近くに形成された支持片２１３（図３では１つのみ図示）を４つの貫通孔２１４ａ〜ｄに挿通することによって筐体２０１に支持される。したがって、筐体２０１に支持された冷却用ファンユニット２１１は、矢印Ｂの方向に引き出すだけで取り出しが可能である。また、冷却用ファンユニット２１１の左右両側面部は、筐体２０１から露出した状態で装着される。扉２０２を開いて冷却用ファンユニット２１１を交換するときには、左右両側面部をつかめるので、冷却用ファンユニット２１１の取り出しが簡単である。くわえて、扉２０２を閉じてビス孔２０８にビス３０１を止め付けているときには、冷却用ファンユニット２１１は扉２０２によって筐体２０１にしっかり押さえつけられているので、ファン２１２の回転によって振動するようなことはない。さらに、扉２０２を閉じると、扉２０２の係止部２１５と筐体２０１の係止部２１６とが軽く引っ掛かった状態になるので、ビス３０１を取り外すまたは緩めても、扉２０２が急に開くことはない。
【００１９】
続けて、電子機器２００のシェルフに対する固定手段及び電気的接続手段について説明する。図４は、電子機器のシェルフに対する固定手段及び電気的接続手段を示す斜視図である。図４の符号において１２２ａ，ｂ及び１２３は開口部、２１７ａ〜ｃは突出片、２１８はフック、２１９は溝、２２０はコネクタであり、その他の符号は図１と同じものを示す。
【００２０】
電子機器２００は、筐体２０１がシェルフに押し込まれて、その後面側に設けられたコネクタ２２０が裏面板１２０のコネクタ１２１に差し込まれることによってシェルフに電気的に接続される。また、筐体２０１の突出片２１７ａ〜ｃは、電子機器２００をシャーシ１１０に挿入収納するときに、それぞれ裏面板１２０の開口部１２２ａ，ｂ及び１２３に挿入される。また、フック２１８は、図１に示した底板１１１のは電子機器係止用切込部１１２に係止される。したがって、この状態において、筐体２０１は、その前端部でも後端部でもシャーシ１１０及び裏面板１２０に保持された状態になるので、上下左右に動く範囲は極めて限られた範囲となる。したがって、電子機器２００は、シェルフに収納された状態では、地震等によって揺さぶられても、上記の構造でしっかり保持されているので、ほとんどがたつくことがない。また、筐体２０１の底面に図１に示したガイドレール１１４に対応する溝２１９が形成されているので、電子機器を電子機器用シェルフ１００に挿入収納するときに、電子機器２００がガイドレール１１４に案内されて動くので、収納が容易である。
【００２１】
次に、本発明の実施の形態に係る電子機器収納システムにおける冷却用ファンユニットの交換手順について説明する。図５ないし図７は、本発明の実施の形態に係る電子機器収納システムにおける冷却用ファンユニットの交換手順の説明図（１）〜（３）である。図５ないし図７において、２２２は回転軸、２２３ａ，ｂは当接部であり、その他の符号は図１ないし図３と同じものを示す。
【００２２】
まず、図５（ｃ）に示すように、ビス孔２０６のビス３０１を取り外す。次に、図５（ｄ）に示すように、イジェクタ２０３のレバー部２２１に指を掛けて手前に引く。そうすると、イジェクタ２０３の当接部２２３ａがイジェクタ係止片１１３を強く押すので、同時に筐体２０１を手前に引き出す力が働く。さらに、図６（ｅ）の矢印Ｄに示すように、レバー部２２１を手前に引くと、イジェクタ２０３が梃子となって筐体２０１を手前に引き出す。このとき、電子機器２００のコネクタ２２０は、裏面板１２０のコネクタ１２１と分離されるので、電子機器２００の電気的接続は遮断される。次に、図６（ｆ）に示すように、ビス孔２０８のビス３０１を取り外す又は緩めて、矢印Ｅに示すように扉２０２を開く。そして、図７に示すように、最後に冷却用ファンユニット２１１を矢印Ｆに示すように取り出し、さらに、図示していない冷却用ファンユニット２１１のコネクタを取り外す。なお、図７の状態においては、電子機器の前方の部分は、電子機器用シェルフの外に出ているので、冷却用ファンユニット２１１の左右両側面部を手でつかむことが容易な状態となっている。
【００２３】
新たな冷却用ファンユニット２１１を取り付けたら、上述の手順を逆に実行して行く。最後に、イジェクタ２０３のレバー部２２１を奥に向けて押し込むと、イジェクタ２０３の当接部２２３ｂがイジェクタ係止片１１３を強く押して筐体２０１を奥へ押し込む。
【００２４】
したがって、イジェクタ２０３のレバー部２２１を手前に引くと、電子機器２００が手前に引き出されるので、電子機器２００の上方や左右側方に手を入れて引き出す必要はない。また、イジェクタ２０３のレバー部２２１を手前に引いたときには、電子機器２００の電気的接続が確実に遮断されるので、作業者がファン２１２に触れてけがをするようなことがない。また、冷却用ファンユニット２１１は扉のすぐ向こう側にある上に、筐体２０１の一部を加工して形成した支持片２１３に支持されているだけなので、取り出しが非常に簡単にできる。もちろろん、冷却用ファンユニット以外のハードディスクやＬＡＮボードなど他の部品の交換も容易となることは言うまでもない。したがって、シェルフを小型化しても、電子機器の部品交換が容易である上に、電子機器の筐体に対しても従来技術にない構成を採用したので、部品交換に要する作業時間の短縮を図ることができる。
【００２５】
【発明の効果】
以上のように、本発明は、電子機器の筐体の後面部に第１のコネクタを設け、該電子機器をシェルフ前面の開口部から挿入して収納したときに、前記第１のコネクタが該シェルフの奥に設けられた第２のコネクタに接続されるようになされた電子機器収納システムであって、前記筐体は、その前面側において、前記筐体下方に設けられた軸体に枢着された扉と、該軸体に枢着されると共に該扉の前面側に設けられ、手前に回動したときに前記シェルフの突出部を支点として前記電子機器を手前に引き出すイジェクタとを備え、前記シェルフは、前記イジェクタを手前に回動して前記電子機器を手前に引き出したときに、前記第１のコネクタと前記第２のコネクタとが分離するようになされたので、電子機器用シェルフに収納された電子機器の冷却用ファンユニット等の交換を容易に、かつ、短時間で行うことができ、さらに、交換作業中において電子機器の電気的接続を確実に遮断することが可能となる。
【００２６】
【図面の簡単な説明】
【図１】本発明の実施の形態に係る電子機器収納システムを示す斜視図である。
【図２】電子機器の構造を示す斜視図（１）である。
【図３】電子機器の構造を示す斜視図（２）である。
【図４】電子機器のシェルフに対する固定手段及び電気的接続手段を示す斜視図である。
【図５】本発明の実施の形態に係る電子機器収納システムにおける冷却用ファンユニットの交換手順の説明図（１）である。
【図６】本発明の実施の形態に係る電子機器収納システムにおける冷却用ファンユニットの交換手順の説明図（２）である。
【図７】本発明の実施の形態に係る電子機器収納システムにおける冷却用ファンユニットの交換手順の説明図（３）である。
【符号の簡単な説明】
１１０    シャーシ
１１１    底板
１１２    電子機器係止用切込部
１１３    イジェクタ係止片
１１４    ガイドレール
１２０    裏面板
１２１    コネクタ
１２２ａ  開口部
１２２ｂ  開口部
１２３    開口部
１３０    ＥＭＩ用カバー
１４０    仕切板
２００    電子機器
２０１    筐体
２０２    扉
２０３    イジェクタ
２０４    開口部
２０５    凹部
２０６    ビス孔
２０７    スリット
２０８    ビス孔
２０９    軸受
２１０    パイロットランプ
２１１    冷却用ファンユニット
２１２    ファン
２１３    支持片
２１４ａ  貫通孔
２１４ｂ  貫通孔
２１４ｃ  貫通孔
２１４ｄ  貫通孔
２１５    係止部
２１６    係止部
２１７ａ  突出片
２１７ｂ  突出片
２１７ｃ  突出片
２１８    フック
２１９    溝
２２０    コネクタ
２２１    レバー部
２２２    回転軸
２２３ａ  当接部
２２３ｂ  当接部
【図１】
2004363133.tif 000003
【図２】
2004363133.tif 000004
【図３】
2004363133.tif 000005
【図４】
2004363133.tif 000006
【図５】
2004363133.tif 000007
【図６】
2004363133.tif 000008
【図７】
2004363133.tif 000009